(57)【要約】    【課題】  遮光容器から側方に導出部が導出された未使用写真フィルムの収容及びその写真フィルムの写真機へのセットを容易に行い得、撮影済み写真フィルムの収容を容易に行い得ると同時に、撮影済み写真フィルムを整理することができる。    【解決手段】  上方開口の箱状ケース体１２にヒンジ部１４を介して開閉蓋１６を連結する。仕切部２０により、ケース体１２内を上方に開口する２行×５列の平面視方形状の升目状部１８に区画する。各升目状部１８は、ロール状の写真フィルムを収容する略円柱形状遮光容器Ｐを収容し得る。仕切部２０はケース体１２内を短手方向及び長手方向に分割する。長手方向仕切板２０ａ及び各短手方向仕切板２０ｂの何れの側端部２０ｔも、ケース体１２の内側面１２ｂとの間に上方開放のフィルム嵌挿用のスリット部２２を隔有する。遮光容器Ｐを升目状部１８に収容すると共に写真フィルムの導出部Ｐ１を上方からスリット部２２に嵌挿し得る。【選択図】      図１
2007298809.tif 000002
【特許請求の範囲】
【請求項１】
略柱形状の遮光容器内にロール状の写真フィルムが収容され、写真フィルムの先端部が、遮光容器の側方に導出された状態の導出部である写真フィルムおよび／または遮光容器内にロール状の写真フィルムが収容されている写真フィルムを収容するケースであって、
上方開口の箱状のケース体と、そのケース体内を少なくとも上方に開口する２以上の升目状部に区画する仕切部を備えており、
前記各升目状部の側周の少なくとも一箇所は、仕切部の側端部とその側端部が臨むケース体内側面又は仕切部側面の間に形成された上方開放のフィルム嵌挿用のスリット部を通じて隣接升目状部と連通していることを特徴とする写真フィルムケース。
【請求項２】
各升目状部の側面の少なくとも１つがケース体の内側面により構成され、上記フィルム嵌挿用のスリット部を、ケース体の内側面と、その内側面に臨む仕切部側端部との間にのみ有する請求項１記載の写真フィルムケース。
【請求項３】
ケース体の上方開口を開閉するための開閉蓋が、ヒンジ部を介してケース体に連結されてなる請求項１又は２記載の写真フィルムケース。
【発明の詳細な説明】
【技術分野】
【０００１】
本発明は、遮光容器内にロール状の写真フィルムが収容されている未使用又は撮影済みの写真フィルムを収容する写真フィルムケースに関する。
【背景技術】
【０００２】
未使用のロール状の写真フィルムは、フィルムの先端部が側方に導出された状態で遮光容器（パトローネ又はカートリッジ）に収納され、更に、蓋を備えた有底円筒状の個別の合成樹脂ケース内に収容された状態で販売されている。写真フィルム使用時には、ケースから取り出して写真機にセットし、使用後は、写真フィルム全体が収納された（若しくはフィルムの先端部が側方に導出された）遮光容器を再び個別のケース内に収容する。
【０００３】
複数本若しくは多数の写真フィルムを使用して写真撮影を行うプロ又はアマチュアのカメラマンとしては、フィルムを素早く交換して写真撮影を円滑に行い、且つ撮影済み写真フィルムの整理をも行う必要がある。
【０００４】
ところが、従来は個別のケースからの写真フィルムの取り出し及び写真機へのセット並びに個別のケースへの撮影済みフィルムの収容及びその整理を行う必要があったため、迅速且つ正確な作業を行う上で改善の余地があった。
【０００５】
特開平１１−３３４７２７号公報（特許文献１）には、 写真フィルムケースの径に適合した複数のくぼみを持つ固体を有する収納具が開示されている。この収納具を用いることにより、撮影済み写真フィルムの整理は容易になるが、個別のケースからの写真フィルムの取り出し及び写真機へのセット並びに個別のケースへの撮影済みフィルムの収容を行わなければならない点は従来と変わらなかった。
【０００６】
更に、個別のケースに収容された写真フィルムのうち遮光容器から導出されている部分は、カール（曲がり癖）がついていて写真機へのフィルムのセットの円滑性を損ないがちであった。
【特許文献１】特開平１１−３３４７２７号公報
【発明の開示】
【発明が解決しようとする課題】
【０００７】
本発明は、従来技術に存した上記のような課題に鑑み行われたものであって、その目的とするところは、遮光容器から側方に導出部が導出された未使用写真フィルムの収容及び収容された写真フィルムの写真機へのセットを容易に行い得、ロール状フィルム全体が遮光容器内に収容された（若しくはロール状フィルムの先端部が側方に導出された）撮影済み写真フィルムの収容を容易に行い得ると同時に、撮影済み写真フィルムを整理することができる写真フィルムケースを提供することにある。
【課題を解決するための手段】
【０００８】
上記目的を達成する本発明の写真フィルムケースは、
略柱形状の遮光容器内にロール状の写真フィルムが収容され、写真フィルムの先端部が、遮光容器の側方に導出された状態の導出部である写真フィルムおよび／または遮光容器内にロール状の写真フィルムが収容されている写真フィルムを収容するケースであって、
上方開口の箱状のケース体と、そのケース体内を少なくとも上方に開口する２以上の升目状部に区画する仕切部を備えており、
前記各升目状部の側周の少なくとも一箇所は、仕切部の側端部とその側端部が臨むケース体内側面又は仕切部側面の間に形成された上方開放のフィルム嵌挿用のスリット部を通じて隣接升目状部と連通していることを特徴とする。
【０００９】
未使用写真フィルムを写真フィルムケースに収容する場合、遮光容器の軸線方向を升目状部の上下方向（軸線方向）に合わせた状態で遮光容器を升目状部に収容し、同時に、遮光容器の側方に導出された状態の写真フィルムの導出部を、その幅方向においてスリット部に対し上方から嵌挿する。導出部を遮光容器の周囲に巻いて遮光容器と同じ升目状部に収容するのでなく、導出部を巻かずにスリット部を介して隣接升目状部に伸ばした状態で遮光容器と導出部を同時に写真フィルムケースに収容することができる。そのため、未使用写真フィルム収容作業を容易に行い得る。
【００１０】
未使用写真フィルムを使用する場合、写真フィルムケースから遮光容器をその導出部と共に取り出してそのまま写真機にセットして使用することができる。
【００１１】
スリット部を通じて隣接する升目状部に導出部が伸びた状態で写真フィルムの遮光容器が升目状部に収容され、その導出部は、隣接升目状部との間のスリット部を通り、隣接升目状部に収容された写真フィルムの遮光容器とケース体内側面若しくは仕切部側面との間に挟まれた状態、すなわち直線に近い状態で保持することができるので、導出部の曲がり癖が可及的に直線に近いように矯正され、写真機への写真フィルムのセットの円滑化に資するものとなり得る。
【００１２】
遮光容器内にロール状の写真フィルムが全て収納された撮影済み写真フィルムは、遮光容器の軸線方向を升目状部の上下方向（軸線方向）に合わせた状態でその遮光容器を所定の升目状部に収容することにより容易に写真フィルムケースに収容し得、同時に、その所定升目状部に収容することによって撮影済み写真フィルムを整理することができる。なお、撮影済み写真フィルムは、ロール状の写真フィルムの先端部が遮光容器の側方に導出された状態の場合もある。その場合は、前記未使用写真フィルムと同様に容易に写真フィルムケースに収容することができる。
【００１３】
上記写真フィルムケースは、各升目状部の側面の少なくとも１つがケース体の内側面により構成され、上記フィルム嵌挿用のスリット部を、ケース体の内側面と、その内側面に臨む仕切部側端部との間にのみ有する。
【００１４】
フィルム嵌挿用のスリット部を、仕切部のうちケース体の内側面と、その内側面に臨む側端部との間にのみ有するので、未使用写真フィルムを写真フィルムケースに収容する場合に、写真フィルムの導出部を嵌挿させるスリット部の位置が明確である。そのため、未使用写真フィルムを写真フィルムケースに収容する作業及び写真フィルムケースから取り出す作業を何れも円滑に行うことができる。
【００１５】
また上記写真フィルムケースは、ヒンジ部を介してケース体に連結された、ケース体の上方開口を開閉するための開閉蓋を備えるものとすることが望ましい。
【発明の効果】
【００１６】
本発明の写真フィルムケースによれば、遮光容器から側方に導出部が導出された未使用（若しくは撮影済み）写真フィルムの収容作業を容易に行い得、未使用写真フィルムを使用する場合、写真フィルムケースから遮光容器をその導出部と共に取り出してそのまま写真機にセットして使用することができる。また、スリット部を通じて隣接する升目状部に導出部が伸びた状態で写真フィルムが収容されることにより、導出部の曲がり癖が可及的に直線に近いように矯正され、写真機への写真フィルムのセットの円滑化に資するものとなり得る。
【００１７】
遮光容器内にロール状の写真フィルムが全て収納された（若しくはロール状写真フィルムの先端部が側方に導出された）撮影済み写真フィルムは、容易に写真フィルムケースに収容し得、同時に、撮影済み写真フィルムを整理することができる。
【発明を実施するための最良の形態】
【００１８】
本発明の実施の形態を、図面を参照しつつ説明する。
【００１９】
図面は何れも本発明の写真フィルムケースの実施の形態の一例についてのものであって、図１は平面図、図２は、図１におけるII-II端面図、図３は、図１におけるIII-III端面図、図４は側面図である。
【００２０】
写真フィルムケース１０は、上方開口の平面視長方形状の箱状ケース体１２と、ケース体１２の上縁部のうち一方の長辺部にヒンジ部１４を介して連結され、ケース体１２の上方開口を開閉するための開閉蓋１６と、ケース体１２内を上方に開口する２行×５列の平面視方形状の升目状部１８に区画する仕切部２０からなる。
【００２１】
各升目状部１８は、ロール状の写真フィルムを収容するための略円柱形状（略柱形状の一例）の遮光容器Ｐ（パトローネ又はカートリッジ等）を、軸線方向を升目状部１８の上下方向（軸線方向）に合わせた状態で、上方から嵌合させて側方に大きくずれないように収容し得る。未使用写真フィルムＰａは、ロール状の写真フィルムが遮光容器Ｐ内に収容され、写真フィルムの先端部が、導出部Ｐ１として遮光容器Ｐの側方に導出されている。撮影済み写真フィルムＰｂは、遮光容器Ｐ内にロール状の写真フィルムが全て収容されている。
【００２２】
仕切部２０は、ケース体１２の底面１２ａ上に垂設された長手方向仕切板２０ａと短手方向仕切板２０ｂからなる。長手方向仕切板２０ａは、ケース体１２内を短手方向に二分割し、短手方向仕切板２０ｂは、ケース体１２内を長手方向に５分割するよう設けられている。長手方向仕切板２０ａ及び各短手方向仕切板２０ｂの何れの側端部２０ｔも、ケース体１２の内側面１２ｂには接しておらず、その側端部２０ｔが臨むケース体１２の内側面１２ｂとの間に上方開放のフィルム嵌挿用のスリット部２２を隔有している。
【００２３】
なお、スリット部２２については、遮光容器Ｐを升目状部１８に収容すると共に写真フィルムの導出部Ｐ１を上方からそのスリット部２２に嵌挿し得るものであれば、ケース体１２の上下方向中間部が下端であってもよく、必ずしもケース体１２の底面１２ａを下端として上方に開放するものであることを要しない。
【００２４】
また、仕切部２０は、板状、網状、格子状等の形態を適宜採用し得る。仕切部２０の側端部２０ｔは、水平断面略円形状の凸曲部に形成されている。仕切部２０の側端部２０ｔは、例えばこの例のような丸みを設ける処理により、収容及び取り出し作業の円滑性及びフィルムの損傷防止を行うことが好ましい。
【００２５】
開閉蓋１６は、天板部１６ａの周囲に、ケース体１２の上部に外嵌する周壁部１６ｂを有してなる。
【００２６】
ケース体１２、開閉蓋１６及び仕切部２０は何れもポリスチレン樹脂製であり、外部から開閉蓋１６、ケース体１２及び仕切部２０の何れか１、２又は全てを通じて収容物である写真フィルムを視認することができる透明性を有する。材料は特に限定されないが、外部から収容物を視認可能な透明性のある材料を全体又は一部に用いることが好ましい。航空機搭乗に際してオープンチェックによる検査（Ｘ線によらない目視検査）を可能にするためである。このような材料の例としては、ＡＢＳ樹脂、ポリカーボネート樹脂、ポリプロピレン樹脂等を挙げることができる。
【００２７】
未使用写真フィルムＰａを写真フィルムケース１０に収容する場合、遮光容器Ｐの軸線方向を升目状部１８の上下方向（軸線方向）に合わせた状態で遮光容器Ｐを升目状部１８に収容し、同時に、遮光容器Ｐの側方に導出された状態の写真フィルムの導出部Ｐ１を、導出部Ｐ１の幅方向においてスリット部２２に対し上方から嵌挿することにより、導出部Ｐ１を巻かずにスリット部２２を介して隣接升目状部１８に伸ばした状態で遮光容器Ｐと導出部Ｐ１を同時に写真フィルムケース１０に収容することができる。未使用写真フィルムＰａを使用する場合、写真フィルムケース１０から遮光容器Ｐをその導出部Ｐ１と共に取り出してそのまま写真機にセットして使用することができる。
【００２８】
隣接升目状部１８同士は、スリット部２２を通じて連通しており、一方の升目状部１８のケース体１２の内側面１２ｂと他方の升目状部１８のケース体１２の内側面１２ｂが、平面視において両升目状部１８間のスリット部２２を通り直線状に結ばれるものとなっているので、遮光容器Ｐを升目状部１８に上方から収容すると同時に導出部Ｐ１を幅方向においてスリット部２２に対し上方から嵌挿することが一層容易である。また、この場合、隣接する升目状部１８に写真フィルムの遮光容器Ｐが収容されているときに、導出部Ｐ１をスリット部２２に上方から嵌挿すると共にその遮光容器Ｐとケース体１２の内側面１２ｂとの間に上方から嵌挿することも容易である。
【００２９】
このように、スリット部２２を通じて隣接する升目状部１８に導出部Ｐ１が伸びた状態で升目状部１８に写真フィルムの遮光容器Ｐが収容され、その導出部Ｐ１は、隣接升目状部１８との間のスリット部２２を通り、隣接升目状部１８に収容された写真フィルムの遮光容器Ｐとケース体１２の内側面１２ｂ若しくは仕切部２０側面との間に挟まれた状態、すなわち直線に近い状態で保持することができるので、導出部Ｐ１の曲がり癖が可及的に直線に近いように矯正され、写真機への写真フィルムのセットの円滑化に資するものとなり得る。なお、未使用写真フィルムＰａの導出部Ｐ１は遮光容器Ｐからほぼ一定接線方向に導出された状態であるため、升目状部１８の位置が例えばケース体１２の隅部である場合等において、導出部Ｐ１がケース体１２の長手方向に伸びた状態（導出部Ｐ１ができるだけ直線に近い状態）で収容するには、遮光容器Ｐの上下を適宜逆にして収容する必要が生じることもあり得る。
【００３０】
この例の場合、各升目状部１８の側面の１つ又は２つがケース体１２の内側面１２ｂにより構成され、フィルム嵌挿用のスリット部２２を、ケース体１２の内側面１２ｂと、その内側面１２ｂに臨む仕切部２０の側端部２０ｔとの間にのみ有するので、未使用写真フィルムＰａを写真フィルムケース１０に収容する場合に、写真フィルムの導出部Ｐ１を嵌挿させるスリット部２２の位置が明確である。そのため、未使用写真フィルムＰａを写真フィルムケース１０に収容する作業及び写真フィルムケース１０から取り出す作業を何れも円滑に行うことができる。
【００３１】
撮影済み写真フィルムＰｂ（遮光容器Ｐ内にロール状の写真フィルムが全て収納されたもの）は、遮光容器Ｐの軸線方向を升目状部１８の上下方向（軸線方向）に合わせた状態で遮光容器Ｐを所定の升目状部１８に収容することにより容易に写真フィルムケース１０に収容し得、同時に、その所定升目状部１８に収容することによって撮影済み写真フィルムＰｂを整理することができる。各升目状部１８の底面（側面や開閉蓋１６等でもよい）には、その升目状部１８を特定する記号Ａ−Ｊ（番号、名称、色、図形、模様、絵等でもよい）を付すことにより、撮影済み写真フィルムＰｂの整理に役立つものとしている。
【００３２】
なお、ケース体１２は、平面視長方形状に限らない。例えば、正方形状とすることもできる。また、仕切部２０により区画される升目状部１８の配列は、２行×５列に限るものではなく、２行×２列、３行×３列、２行×３列、３行×４列、４行×４列（図５）、１行×３列（図６）等を適宜採用し得る。
【００３３】
また、仕切部の側端部２０ｔは、前記例ではケース体１２の内側面１２ｂに臨んでいるが、これに限るものではなく、仕切部２０の側面に臨むものであってもよい。隣接する升目状部１８間の仕切部２０の側端部２０ｔが仕切部２０の側面に臨んでスリット部２２を形成し、スリット部２２を通じて連通するものである場合、一方の升目状部１８の仕切部２０の側面と他方の升目状部１８の仕切部２０の側面が、平面視において両升目状部１８間のスリット部２２を通り直線状に結ばれるものとすることが望ましい。遮光容器Ｐを升目状部１８に上方から収容すると同時に導出部Ｐ１を幅方向においてスリット部２２に対し上方から嵌挿することを一層容易にするためである。
【００３４】
なお、以上の実施の形態についての記述における上下位置関係は、単に図に基づいた説明の便宜のためのものであって、実際の使用状態等を限定するものではない。また、以上の実施の形態についての記述における構成部品の寸法、個数、材質、形状、その相対配置などは、特にそれらに限定される旨の記載がない限りは、この発明の範囲をそれらのみに限定する趣旨のものではなく、単なる説明例に過ぎない。
【図面の簡単な説明】
【００３５】
【図１】平面図である。
【図２】図１におけるII-II端面図である。
【図３】図１におけるIII-III端面図である。
【図４】側面図である。
【図５】別の例の平面図である。
【図６】更に別の例の平面図である。
【符号の説明】
【００３６】
１０      写真フィルムケース
１２      ケース体
１２ａ    底面
１２ｂ    内側面
１４      ヒンジ部
１６      開閉蓋
１６ａ    天板部
１６ｂ    周壁部
１８      升目状部
２０      仕切部
２０ａ    長手方向仕切板
２０ｂ    短手方向仕切板
２０ｔ    側端部
２２      スリット部
Ｐ        遮光容器
Ｐ１      導出部
Ｐａ      未使用写真フィルム
Ｐｂ      撮影済み写真フィルム
【図１】
2007298809.tif 000003
【図２】
2007298809.tif 000004
【図３】
2007298809.tif 000005
【図４】
2007298809.tif 000006
【図５】
2007298809.tif 000007
【図６】
2007298809.tif 000008